(57)【特許請求の範囲】
【請求項１】
ムチン酸、ガラクトン酸、グルカル酸、グルコン酸、へプトン酸およびそれらの塩から選ばれた１種以上のヒドロキシカルボン酸を０．１〜１００ｇ／Ｌ含む苛性アルカリ水溶液を洗浄液として用いることを特徴とするフェルトの汚れ成分が水酸化アルミニウムスケールを主体とするものである抄紙用フェルトの洗浄方法。
【請求項２】
ヒドロキシカルボン酸がグルコン酸ソーダである請求項１記載の抄紙用フェルトの洗浄方法。
【請求項３】
ヒドロキシカルボン酸がヘプトン酸ソーダである請求項１記載の抄紙用フェルトの洗浄方法。
【発明の詳細な説明】
【０００１】
【発明の属する技術分野】
本発明は製紙工業の脱水工程で使用される抄紙用フェルトの洗浄方法に関するものである。
【０００２】
【従来の技術】
製紙工程は、パルプ調成、抄造、脱水、乾燥等の工程から成り立っている。パルプは抄造して、抄き網部において大部分の水を取り去り湿紙とするが、この湿紙は、なお多くの水分を有している。このまま加熱乾燥すると多量の蒸気を必要とするので、脱水工程を設けプレス脱水してから乾燥工程へ送られる。脱水工程は、上下２段のロールからなるプレスロールと、湿紙を運搬するフェルトの組み合わせからなり、フェルトに載せられた湿紙はロールの間を通してプレス脱水される。プレスにおける脱水は、フェルトの搾水性に大きく依存しており、フェルトに汚れが付着し目詰まりがあると脱水が十分に行われず、また均一な脱水ができないため、ドライヤー工程での蒸気消費量が増えたり、また紙切れの原因となる。従って、フェルトを常に清浄な状態に保つことが生産性を増大させる上で極めて重要である。
【０００３】
パルプ調成工程では、サイズ剤や染料等のパルプ繊維への定着、歩留まり、濾水向上あるいはピッチコントロールを目的として硫酸バンドが多量に添加されている。硫酸バンドはｐＨ条件によって種々の形態のアルミナ種を形成し、酸性抄紙条件である白水のｐＨが４〜５においては、一部は３価のアルミニウムイオンもしくは水溶性のアルミナ種として存在する。
【０００４】
脱水工程のフェルトは、搾水効率を良好に維持するためシャワー水がかけられている。しかし、シャワー水は清水を用いるので、そのｐＨは白水より高いことから、湿紙水分中のアルミナ種はｐＨ上昇により水酸化アルミニウムとなってフェルト表面およびその内部に析出し、フェルトの搾水性に悪影響を及ぼすことがある。
【０００５】
そこで、従来、シャワー水に塩酸、硫酸等の無機酸を連続添加し、ｐＨの上昇を抑える方法が行われているが、取り扱い上の危険性や系内の腐食性の問題点があるほか、フェルトを劣化させることがあった。
【０００６】
また、クエン酸、リンゴ酸等のキレート作用を有する有機酸を連続添加する方法（特開平４−３４８１９５号公報）、１−ヒドロキシエチリデン−１，１−ジホスホン酸を連続添加する方法（特開平４−２０２２９９号公報）が提案されているが、白水ｐＨが低く、白水中の溶解アルミニウム濃度が高い抄紙系においては、多量の薬剤が必要となり、経済面および腐食性の面で問題点があった。
【０００７】
また、上述したような連続洗浄のほか、紙の抄き換え時等に抄造を一旦停止して１０〜３０分間間欠洗浄が行われる。間欠洗浄時には、通常、フェルトに付着したサイズ剤や木材樹脂のケン化、デンプンや微生物代謝物の水和膨潤、水酸化アルミニウムスケールの溶解等を目的として苛性ソーダ水溶液が使用されるが、洗浄時間が短いため、水酸化アルミニウムスケールに対して十分な溶解効果が得られていない。
【０００８】
【発明が解決しようとする課題】
本発明の目的は、製紙工業の脱水工程で使用される抄紙用フェルトを清浄な状態に保つための効果的な洗浄方法を提供することにある。
【０００９】
【課題を解決するための手段】
本発明者らは、抄紙用フェルトを清浄な状態に保つ洗浄について鋭意検討した結果、特定のヒドロキシカルボン酸を含む苛性アルカリ水溶液を抄紙用フェルトの洗浄液として用いた場合には、該フェルトの汚れ、特に水酸化アルミニウムスケールを主体とする汚れに対して優れた洗浄効果を示すことを見い出し本発明を完成するに至った。
【００１０】
すなわち、本請求項１の発明は、ムチン酸、ガラクトン酸、グルカル酸、グルコン酸、へプトン酸およびそれらの塩から選ばれた１種以上のヒドロキシカルボン酸を０．１〜１００ｇ／Ｌ含む苛性アルカリ水溶液を洗浄液として用いることを特徴とするフェルトの汚れ成分が水酸化アルミニウムスケールを主体とするものである抄紙用フェルトの洗浄方法であり、請求項２の発明はヒドロキシカルボン酸としてグルコン酸ソーダを用いる抄紙用フェルトの洗浄方法であり、請求項３の発明はヒドロキシカルボン酸としてヘプトン酸ソーダを用いる抄紙用フェルトの洗浄方法である。
【００１１】
【発明の実施形態】
以下、本発明について詳細に説明する。
本発明における抄紙用フェルト洗浄液は、ムチン酸、ガラクトン酸、グルカル酸、グルコン酸、ヘプトン酸およびそれらの塩から選ばれた１種以上のヒドロキシカルボン酸を含む苛性アルカリ水溶液である。
【００１２】
ヒドロキシカルボン酸には、構造上右旋性のもの、左旋性のものと区別される場合があるが、本発明においてはこれら光学異性体の種類は限定されず、どちらか一方でもよく、あるいは両方の混合物であってもよい。ヒドロキシカルボン酸の塩としては、ソーダ塩、カリウム塩、アンモニウム塩等を挙げることができ、中でも入手しやすいソーダ塩が好ましい。また、ヒドロキシカルボン酸は１種類を単独に、あるいは２種以上組み合わせて用いてもよい。
【００１３】
苛性アルカリ水溶液の苛性アルカリとしては、例えば苛性ソーダ、苛性カリ等を挙げることができ、中でも安価な苛性ソーダが好ましい。
【００１４】
本発明における洗浄液中のムチン酸、ガラクトン酸、グルカル酸、グルコン酸、ヘプトン酸およびそれらの塩の濃度は、０．１〜１００ｇ／Ｌ、好ましくは１〜５０ｇ／Ｌ、さらに好ましくは５〜３０ｇ／Ｌである。０．１ｇ／Ｌ未満では本発明の意図する効果が十分でなく、また１００ｇ／Ｌを越えた濃度では効果は十分に認められるが、経済的見地から好ましくない。
【００１５】
本発明における洗浄液中の苛性アルカリの濃度は特に限定されるものではないが、通常５〜５０ｇ／Ｌ、好ましくは１０〜３０ｇ／Ｌである。
【００１６】
本発明洗浄液は、ヒドロキシカルボン酸と苛性アルカリを溶解させた水溶液であり、その適用方法は特に限定されるものではない。たとえば、ヒドロキシカルボン酸と苛性アルカリを所定濃度に溶解した洗浄液を調製し、これを抄紙用フェルトにシャワーする方法、あるいはシャワー水にヒドロキシカルボン酸と苛性アルカリを所定濃度になるように連続注入する方法がある。
【００１７】
本発明により抄紙用フェルトを洗浄するには、例えば抄造工程を停止した後、本発明洗浄液をフェルト上にシャワーすればよい。洗浄頻度は工程の必要度により任意に決められるが、２〜３日に１回、紙の抄き換え時等に１０〜３０分間程度行う間欠洗浄、１０〜２０日に１回、１〜２日間かけて抄紙機全体を洗浄する停抄洗浄が行われる。
【００１８】
本発明洗浄液には、本発明の効果を損なわない範囲において、界面活性剤やスケール除去剤等その他の種類の添加剤を併用することに何ら制限を加えるものではない。
【００１９】
【実施例】
以下に、実施例により本発明を具体的に説明するが、本発明はこれに限定されるものではない。
【００２０】
実施例１
酸性上質紙の抄造工程から採取した抄紙用フェルト（材質：ナイロン）を用いてフェルト洗浄試験を行った。
【００２１】
（試験方法）
１．洗浄前の採取したフェルトを５ｃｍ×１５ｃｍの大きさに切ったフェルトを電気炉で９００℃、３時間焼いた。フェルト上の無機スケール成分を灰分として求めた。
0004189072.tif 000002
【００２２】
２．採取したフェルトを５ｃｍ×１５ｃｍの大きさに切って試験用のフェルトとし、これを所定濃度の洗浄液中に浸漬し、３０℃にて２０分間保った。次いでフェルトを取り出し、水洗して薬品を取り除いた後、乾燥した。このフェルトを電気炉で９００℃で３時間加熱し、灰化させた。下式にて洗浄率を求めた。
【００２３】
【数１】
0004189072.tif 000003
【００２４】
（試験結果）
結果を表１に示した。
【００２５】
【表１】
0004189072.tif 000004
【００２６】
実施例２
ライナー抄造工程から採取した抄紙用フェルトを使用し、実施例１と同様にしてフェルトに付着している無機分を灰分として求めた。
【００２７】
0004189072.tif 000005
【００２８】
２．採取したフェルトを１０ｃｍ×２０ｃｍの大きさに切って試験用フェルトとした。このフェルトを所定濃度の洗浄液に浸漬し、３０℃にて３０分間保った。浸漬後のフェルトについて、ガラス製セパラブル濾過器（容量５００ｍＬ、濾過面３５ｍｍφ）にセットし、差圧１０ｍｍＨｇに吸引しつつ、水５００ｍＬを濾過器に注ぎ、水がフェルトを通過するのに要した時間を測定し、この時間を通水時間とした。通水時間はフェルトの搾水能力を評価する特性値であり、フェルトに付着あるいは目詰まりしている汚れの量との間に相関関係があることに基づいている。
【００２９】
（試験結果）
結果を表２に示した。
【００３０】
【表２】
0004189072.tif 000006
【００３１】
表１、２の結果から、本発明の抄紙用フェルト洗浄方法は、水酸化アルミニウムスケールを主体とする抄紙フェルト汚れに対して極めて高い洗浄効果を奏することが認められた。
【００３２】
【発明の効果】
本発明によれば、製紙工業の脱水工程で使用される抄紙用フェルトの汚れ成分である水酸化アルミニウムスケールに対し、十分な洗浄効果を有するため、フェルトの搾水性が保持される。その結果、フェルトの汚れに起因する操業性の低下や製品の品質を損なうことがなくなり、紙パルプ工業に益するところが大である。